(57)【要約】      （修正有）【課題】義歯等を切削・研磨する作業を行うことにより粉塵が発生し、集塵が必要になった段階で集塵装置が作動する歯科技工机を提供する。【解決手段】集塵装置を備える歯科技工机１において、技工用モータ１１と、モータ制御部１２と、フットスイッチ１３と、外部の集塵機に接続されたバキュームホース２５とエアシャッタと電磁弁から構成される集塵装置２１と、前記集塵装置２１を制御する集塵制御部３６とを備え、前記技工用モータ１１と前記集塵装置２１を連動させて制御する。【選択図】図１
2014014460.tif 000002
【特許請求の範囲】
【請求項１】
集塵装置を備える歯科技工机において、義歯切削・研磨用の技工用モータと、前記技工用モータを制御するためのモータ制御部と、
一方に吸い込み口を設け他端が外部の集塵機に接続されたバキュームホースと、該バキュームホースの中間に配置されたエアシャッタと、前記エアシャッタを作動させるためのエアを供給・遮断する電磁弁とからなる集塵装置と、
前記モータ制御部と電気的に接続されていて前記電磁弁を制御する集塵制御部と、
前記モータ制御部に信号を送るためのフットスイッチとを備えてなることを特徴とする歯科技工机。
【請求項２】
前記集塵制御部により遅延回路を制御し前記技工用モータが回転を開始すると第１の所定時間遅れて前記集塵装置が作動する請求項１に記載の歯科技工机。
【請求項３】
前記集塵制御部により遅延回路を制御し前記技工用モータが回転を停止すると第２の所定時間遅れて前記集塵装置が停止する請求項１から２のいずれか１項に記載の歯科技工机。
【請求項４】
前記技工用モータと前記集塵装置の連動と非連動を切り替えるための切り替えスイッチと、前記非連動のとき前記集塵装置を単独で制御するバキュームスイッチを備えてなる請求項１から３のいずれか１項に記載の歯科技工机。
【請求項５】
前記技工用モータの電源投入時に前記技工用モータと前記集塵装置の連動又は非連動の違いを告知する告知手段を備えてなる請求項１から４のいずれか１項に記載の歯科技工机。
【発明の詳細な説明】
【技術分野】
【０００１】
本発明は歯科技工机、特に吸引式集塵装置を装備した歯科技工机に関する。
【背景技術】
【０００２】
従来、吸引式集塵装置を装備する歯科技工机では、集塵口を開閉可能に閉塞する蓋体と、蓋体の開閉動作によって作動する集塵機作動スイッチにより集塵機を作動させる方法で、必要なときに集塵することはできた。しかし、実際に集塵が必要なときとは、技工用モータ等を使用し義歯等を切削・研磨することにより粉塵が発生したときであり、蓋体の開閉をするときとは時間的にずれている。このため、真に必要なときだけ集塵するということはできなかった。
【先行技術文献】
【特許文献】
【０００３】
【特許文献１】実用新案登録第３０３２２８９号公報
【発明の概要】
【発明が解決しようとする課題】
【０００４】
義歯等を切削・研磨して集塵が必要なときのみ、集塵装置が作動するようにした歯科技工机を提供する。
【課題を解決するための手段】
【０００５】
上記に鑑み本発明者は鋭意実験研究の結果、下記の手段により課題を解決した。
（１）集塵装置を備える歯科技工机において、義歯切削・研磨用の技工用モータと、前記技工用モータを制御するためのモータ制御部と、
一方に吸い込み口を設け他端が外部の集塵機に接続されたバキュームホースと、該バキュームホースの中間に配置されたエアシャッタと、前記エアシャッタを作動させるためのエアを供給・遮断する電磁弁とからなる集塵装置と、
前記モータ制御部と電気的に接続されていて前記電磁弁を制御する集塵制御部と、
前記モータ制御部に信号を送るためのフットスイッチとを備えてなることを特徴とする歯科技工机。
（２）前記集塵制御部により遅延回路を制御し前記技工用モータが回転を開始すると第１の所定時間遅れて前記集塵装置が作動する前項（１）に記載の歯科技工机。
（３）前記集塵制御部により遅延回路を制御し前記技工用モータが回転を停止すると第２の所定時間遅れて前記集塵装置が停止する前項（１）から（２）のいずれか１項に記載の歯科技工机。
（４）前記技工用モータと前記集塵装置の連動と非連動を切り替えるための切り替えスイッチと、前記非連動のとき前記集塵装置を単独で制御するバキュームスイッチを備えてなる前項（１）から（３）のいずれか１項に記載の歯科技工机。
（５）前記技工用モータの電源投入時に前記技工用モータと前記集塵装置の連動又は前記非連動の違いを告知する告知手段を備えてなる前項（１）から（４）のいずれか１項に記載の歯科技工机。
【発明の効果】
【０００６】
本発明によれば次のような優れた効果を発揮することができる。
〈１〉請求項１の発明によれば、集塵装置を備える歯科技工机において、
歯切削・研磨用の技工用モータと、前記技工用モータを制御するためのモータ制御部と、
一方に吸い込み口を設け他端が外部の集塵機に接続されたバキュームホースとの中間に配置されたエアシャッタと、前記エアシャッタを作動させるためのエアを供給・遮断する電磁弁とからなる集塵装置と、
前記モータ制御部と電気的に接続されていて前記電磁弁を制御する集塵制御部と、
前記モータ制御部に信号を送るためのフットスイッチとを備え、
前記信号により前記技工用モータと前記集塵装置を連動させて制御できるため、粉塵が発生して真に集塵が必要なときのみ集塵装置を作動させることができ、無駄に作動させることがない。
〈２〉請求項２の発明によれば、前記集塵制御部により遅延回路を制御し前記技工用モータが回転を開始すると第１の所定時間遅れて前記集塵装置が作動するため、誤って足がフットスイッチに触れて瞬間的に技工用モータが回ったとき等に集塵装置が作動せず、粉塵がある程度たまって集塵が必要になってから集塵装置を作動させることができる。
〈３〉請求項３の発明によれば前記集塵制御部により遅延回路を制御し、前記技工用モータが回転を停止すると第２の所定時間遅れて前記集塵装置が停止するため、残さず集塵することができる。また、集塵装置が停止するまでに、技工士が飛び散った粉塵を吸引することもできる。
〈４〉請求項４の発明によれば、前記技工用モータと前記集塵装置の連動と非連動を切り替えるための切り替えスイッチと、前記非連動のとき前記集塵装置を単独で制御するバキュームスイッチを備えるため、粉塵が多く発生する作業等において集塵装置を作動させたままにすることができる。
〈５〉請求項５の発明によれば、前記技工用モータの電源投入時に前記技工用モータと集塵装置が連動か非連動かを告知する告知手段を設けているため、技工士が前記連動又は前記非連動のどちらの状態になっているかを、即座に判断し速やかに作業を進めることができる。
【図面の簡単な説明】
【０００７】
【図１】本発明の歯科技工机の外観斜視図
【図２】本発明の集塵装置の外観斜視図
【図３】本発明のエアシャッタの外観斜視図
【図４】本発明の歯科技工机の概略説明ブロック図の一例
【図５】本発明の歯科技工机の概略説明ブロック図の他の一例
【発明を実施するための形態】
【０００８】
発明を実施するための最良の形態を以下実施例の図に基づいて順次説明する。
【実施例１】
【０００９】
図１は、本発明の歯科技工机の外観斜視図である。
１は歯科技工机、２は机、３は棚、４はメインスイッチ、５はバキュームスイッチ、７はライト、１１は技工用モータ、１２はモータ制御部で内部に前記技工用モータのモータ制御回路（図示せず）が設けられている。１２ａは前記モータ制御部に設けられたスイッチで前記モータ制御部のＯＮ、ＯＦＦを制御する。１３はフットスイッチ、２１は集塵装置、２２は板２の下方に設けられた引き出し、２３はバキュームマウス、２４は防塵カバー、２５はバキュームホースである。
３６は、前記集塵装置２１に設けられている電動弁３５（詳細は後記）の動作を制御する集塵制御部であり前記モータ制御部と電気的に接続されている。前記集塵制御部３６の内部には、集塵制御回路３６ａ（詳細は後記）、遅延回路３７（詳細は後記）が設けられている。
前記フットスイッチ１３は、前記モータ制御部に回転の開始・回転数調整・回転停止の信号を送り、技工用モータ１１の回転開始１３ａ、回転数調整１３ｂ、回転停止１３ｃを制御するものである。
技工士は、歯科技工机１の前に置かれた椅子に座り、メインスイッチ４をオンにし、必要に応じてライト７を点灯させて作業を行う。技工用モータ１１を使用する際は、モータ制御部１２に設けられたスイッチ１２ａを操作してスタンバイ状態とし、フットスイッチ１３を足で操作して前記技工用の回転開始、回転数調整、及び停止を行う。
本実施例では、技工用モータと集塵装置２１（詳細は後記）の連動と非連動を切り替える切り替えスイッチ（詳細は後記）と、非連動のとき集塵装置２１を単独で制御するバキュームスイッチ５を備えている。
切り替えスイッチで「連動」にしたときは、フットスイッチ１３を操作することにより、技工用モータと集塵装置２１が連動して作動する。
また、切り替えスイッチを「非連動」にしたときは、フットスイッチ１３を操作しても技工用モータのみが作動し、集塵装置２１は作動しない。
この「非連動」の状態の時に、集塵装置２１を作動させたいときは、手動でバキュームスイッチ５をＯＮにする。これにより、粉塵が多く発生する作業等において集塵装置２１を作動させたままにすることができる。
さらに本実施例では、技工用モータの電源投入時に連動又は非連動の違いを告知する告知手段が設けられている。前記告知手段は、例えば、ブザーを用いて連動のときはブザーを鳴らすことで技工士が即座にどちらの状態か判断できる。
【００１０】
図２は、本発明の集塵装置の外観斜視図である。
６は、前記モータ制御部１２と前記集塵制御部の間に配設されて、前記モータ制御部と前記集塵制御部とを接続して連動させ、又は切り離して非連動とする切り替えスイッチ、２６は吸込み口、３１はエアシャッタ、３２はエアシリンダ、３５は電磁弁である。
切り替えスイッチ６は、集塵装置２１と技工用モータ１１の連動、非連動の違いを告知する告知手段の操作を兼ねている。
前記告知手段は、例えば、ブザーを用いて連動のときはブザーを鳴らすことで連動、非連動を告知するものである。
本図は、集塵装置２１を机２から取り出した状態である。吸込み口２６又はエアシャッタ３１が見やすいように、図１とは反対方向から見た図である。切り替えスイッチ６は、本実施例では使用頻度が少ないことを想定し、引き出し２２の奥に設置されており、使用する際は引き出しを開けて操作する。
集塵装置２１は、引き出し２２内にバキュームホース２５を通し、バキュームホース２５の端部に吸込み口２６の付いたバキュームマウス２３が付き、バキュームマウス２３を粉塵が発生する手元付近に配置して使用する。この引き出しの反対側にはエアシャッタ３１を備え、その先にはさらにバキュームホース２５が接続され、外部の集塵機３８に接続されている。集塵機のスイッチは外部に設けられており、作業中は作動させたままとする。
集塵装置２１を技工用モータと連動させて作動させるときはフットスイッチ１３、集塵装置２１を技工用モータと非連動させて作動させるときはバキュームスイッチ５からの信号が、机２の幕板４３の裏側に装着されている集塵制御部３６（点線で図示している）に入る。
集塵制御部３６には集塵制御回路３６ａが設けられていて、前記フットスイッチ１３又は前記バキュームスイッチ５からの信号により電磁弁３５を作動させてエアシャッタ３１（詳細は後記）を開の状態とする。また集塵制御回路３６ａは、遅延回路３７に後記する時間設定を行う。
エアシャッタ３１が開きの状態では、吸込み口から吸われたエアがバキュームホース２５の中を通り外部の集塵機まで流れる。また、集塵装置２１を停止させるときは、同様に、連動のときはフットスイッチ１３、非連動のときはバキュームスイッチ５からの信号が、集塵制御部３６に入り、内部に設けられている集塵制御回路３６からの信号により電磁弁３５を作動させエアシャッタ３１を閉の状態とする。そのときは、外部の集塵機までのエアの流れが遮断されるので、吸込み口からエアが吸われることはない。
本実施例では、技工用モータ１１が回転を開始すると集塵制御部に設けられている遅延回路３７により第１の所定時間（例えば、０．５〜3秒程度）遅れて集塵装置２１が作動するため、誤って足がフットスイッチ１３に触れて瞬間的に技工用モータ１１が回ったとき等に集塵装置が無駄に作動することがなく、粉塵がある程度たまって集塵が必要になってから集塵装置を作動させることができる。第１の所定時間（例えば、０．５〜3秒程度）は、その範囲で集塵制御回路においてあらかじめ設定できる。
また、技工用モータ１１が回転を停止すると集塵制御部に設けられている遅延回路３７により第２の所定時間（例えば、１〜１０秒程度）遅れて集塵装置２１が停止するため、残さず集塵することができる。また、集塵装置２１が停止するまでに、技工士が飛び散った粉塵を吸引することもできる。第２の所定時間（例えば、１〜１０秒程度）は、その範囲で集塵制御部においてあらかじめ設定できる。
前記集塵制御部の３６の内部には、集塵制御回路３６ａ、遅延回路３７が設けられている。
そして前記集塵制御回路３６ａは、遅延回路３７を制御し、第１の所定時間（例えば、０．５〜3秒程度）および前記第２の所定時間（例えば、１〜１０秒程度）前記集塵装置２１の作動・停止を制御する。
なお前記第１の所定時間は、前記技工用モータ１１の回転で粉塵が発生するまでの時間である。また、前記第２の所定時間は、前記吸引装置２１が前記技工用モータ１１の回転で発生した粉塵を残らず吸引するまでの時間である。
【００１１】
図３は、本発明のエアシャッタの外観斜視図である。
３３はシャッタ、３４はホース接続口である。電磁弁３５は本図では裏側になるため見えない。
前記シャッタ３３は、集塵装置２１を技工用モータと連動させて作動させるときはフットスイッチ１３からの信号を受けて、技工用モータと非連動させて作動させるときはバキュームスイッチ５からの信号を受けて、集塵制御部から電磁弁３５へ信号が送られる。
その信号により電磁弁３５が作動し、エアシリンダ３２へ送るエアのオンオフを行い、それに合わせてエアシリンダ３２が作動する。
エアシリンダ３２が作動すると同時に、それに接続された長方形の板状でホース接続口３４の内径と同じ径の穴（図示せず）が開けられたシャッタ３３が左右に動き、ホース接続口３４の開閉を行う。前記穴が、ホース接続口３４と重なったときがシャッタ３３が開で、完全にずれたときがシャッタ３３が閉である。シャッタ３３が開のときは、ホース接続口３４に接続されるバキュームホース２５内に吸込み口２６からエアが吸われ、外部の集塵機まで流れていくので集塵装置２１が作動状態となり、閉のときはエアの流れが遮断されるのでエアが吸込み口２６から吸われなくなり、集塵装置２１は停止状態となる。
【００１２】
図４は、本発明の歯科技工机の概略説明ブロック図の一例である。
３８は集塵装置２１の排出側に設けられたバキュームホース２５に接続された外部の集塵機、４２は電源である。
【００１３】
図５は、本発明の歯科技工机の概略説明ブロック図の他の例である。
６は、前記モータ制御部１１と電気的に接続されている集塵制御部との間に設けられた切り替えスイッチであり、該切り替えスイッチ６を連動側、非連動側に切り替えることで前記フットスイッチによる前記技工用モータと前記集塵装置を連動制御する。
３７は、集塵制御部３６に設けられている遅延回路で、技工用モータ１１の回転開始から所定時間遅れて集塵装置２１を作動し、技工用モータ１１の回転停止から所定時間遅れて集塵装置２１の作動を停止させるための回路である。
３９は集塵装置２１と技工用モータ１１の連動、非連動を告知する告知手段、４０は告知手段の例を示すブザーである。
【産業上の利用可能性】
【００１４】
本発明の歯科技工机は、歯科技工分野に限らず、工業分野でも利用可能である。
【符号の説明】
【００１５】
１  歯科技工机
２  机
３  棚
４  メインスイッチ
５  バキュームスイッチ
６  切り替えスイッチ
７  ライト
１１  技工用モータ
１２  モータ制御部
１３  フットスイッチ
２１  集塵装置
２２  引き出し
２３  バキュームマウス
２４  防塵カバー
２５  バキュームホース
２６  吸込み口
３１  エアシャッタ
３２  エアシリンダ
３３  シャッタ
３４  ホース接続口
３５  電磁弁
３６  集塵制御部
３７  遅延回路
３８  外部の集塵機
３９  告知手段
４０  ブザー
４２  電源
４３  机の幕板
【図１】
2014014460.tif 000003
【図２】
2014014460.tif 000004
【図３】
2014014460.tif 000005
【図４】
2014014460.tif 000006
【図５】
2014014460.tif 000007